(57)【要約】【課題】遠方からの識別性を向上させる。【解決手段】居住者の姓または姓名を表示するための主表示部１０５と、この主表示部が設けられた基台１１０とを有し、基台は、少なくとも１ｍ以上の高さを有しており、及び、基台自体が、居住者の姓または名前の頭文字に相当するアルファベットイニシャル型の形状をした副表示部として形成されている。【選択図】図１
0003136420.tif 000002
【実用新案登録請求の範囲】
【請求項１】
居住者の姓または姓名を表示するための主表示部と、該主表示部が設けられた基台とを有し、
前記基台は、少なくとも１ｍ以上の高さを有しており、及び、
前記基台自体が、前記居住者の姓または名前の頭文字に相当するアルファベットイニシャル型の形状をした副表示部として形成されていることを特徴とする標識体。
【請求項２】
居住者の姓または姓名を表示するための主表示部と、該主表示部が設けられた基台とを有し、
前記基台は、少なくとも１ｍ以上の高さを有しており、及び、
前記基台が、前記居住者の姓または名前の頭文字に相当するアルファベットイニシャル型の形状の副表示部を有しており、
前記アルファベットイニシャル型の形状は、前記基台の表面を凸状に盛り上げることによって或いは前記基台の表面を凹状に彫り込むことによって、浮彫状に形成されているか、または、前記基台を表面から裏面にくりぬくことによって、透かし彫り状に形成されていることを特徴とする標識体。
【請求項３】
請求項１に記載の標識体において、
さらに、前記基台を支持するための支持部を具えることを特徴とする標識体。
【請求項４】
請求項３に記載の標識体において、
前記支持部は、郵便受が設けられていることを特徴とする標識体。
【考案の詳細な説明】
【技術分野】
【０００１】
この考案は、主に住居の玄関等に設置される標識体に関する。
【背景技術】
【０００２】
通常、住居の玄関等には、居住者の姓または姓名を表示するための表札（以下、「標識体」と称する）が設置されている。標識体は、通常、長方形の形状となっており、その大きさは、玄関等に設置されるものであるため、縦１０ｃｍ、横２０ｃｍ程度の大きさとなっている。その標識体の中には、基台の表面の中央部に取付穴が穿設され、居住者の姓または姓名を表示するための表示板（以下、「表示部」と称する）が基台の取付穴に嵌め込まれる構成になっているものがある（例えば、特許文献１参照）。
【０００３】
ところで、従来の標識体は、縦１０ｃｍ、横２０ｃｍ程度の大きさとなっている。そのため、姓または姓名を表示するためのスペースが、標識体の大きさ未満の大きさに限られる。特に、特許文献１に記載された標識体であれば、姓または姓名を表示するためのスペースの大きさは、基台の取付穴に嵌め込まれた表示部の大きさ、具体的には、縦数ｃｍ、横１０〜１５ｃｍ程度の大きさ未満に限られる。そのため、特許文献１に記載された標識体を含む従来の標識体は、遠方からの識別性が低かった。
【特許文献１】実開平７−２３３６９号公報（図１）
【考案の開示】
【考案が解決しようとする課題】
【０００４】
従来の標識体は、遠方からの識別性が低かった。そのため、例えば客や郵便配達員等（以下、総称して「来訪者」と称する）が初めてある住居を来訪する場合に、来訪者は、当該住居のそばまで移動して、玄関に設置された標識体に表示された居住者の姓または姓名を見なければ、来訪先の住居が目的の来訪先であるのか否かを確認することができなかった。そして、仮に、来訪先の住居が目的の来訪先でなかったときに、すなわち、来訪者が目的外の住居を来訪したときに、来訪者は、目的の来訪先を探すために、当該住居からさらに移動する必要があった。そのため、従来の標識体は、来訪者に多大な労力を強いるときがあった。
【０００５】
したがって、従来の標識体は、来訪者が目的外の住居を来訪するのを防止して、来訪者の労力を軽減することが課題となっていた。
【０００６】
この考案の目的は、このような課題を解決するために、従来の標識体よりも、遠方からの識別性が向上された標識体を提供することにある。
【課題を解決するための手段】
【０００７】
上述の課題を解決するために、この考案に係る標識体は、居住者の姓または姓名を表示するための主表示部と、この主表示部が設けられた基台とを有している。そして、基台は、少なくとも１ｍ以上の高さを有しており、さらに、基台自体が、居住者の姓または名前の頭文字に相当するアルファベットイニシャル型の形状をした副表示部として形成されている。
【０００８】
なお、この考案の実施に当たり、好ましくは、基台自体を副表示部として形成する代わりに、基台に上述の副表示部を設け、アルファベットイニシャル型の形状は、基台の表面を凸状に盛り上げることによって或いは基台の表面を凹状に彫り込むことによって、浮彫状に形成されているか、または、基台を表面から裏面にくりぬくことによって、透かし彫り状に形成されているとよい。
【０００９】
また、この考案の実施に当たり、好ましくは、さらに、基台を支持するための支持部を具えているとよい。
【００１０】
また、この考案の実施に当たり、好ましくは、支持部は、郵便受が設けられているとよい。
【考案の効果】
【００１１】
この考案に係る標識体によれば、基台が、少なくとも１ｍ以上の高さを有しており、さらに、基台自体が、居住者の姓または名前の頭文字に相当するアルファベットイニシャル型の形状をした副表示部として形成されている。そのため、来訪者は、来訪先の住居のそばまで移動して標識体に表示された居住者の姓または姓名を見なくても、遠方からこの副表示部として形成された標識体の外形を見るだけで、来訪先の住居がどのアルファベットイニシャルを姓または名前に持つ人物の住居であるのかを認識することができる。したがって、この標識体は、従来の標識体よりも、目印としての高い識別性を有している。そのため、この標識体によれば、来訪者が目的外の住居を来訪するのを防止することができ、これにより、来訪者の労力を軽減することができる。
【００１２】
なお、この標識体は、以下のような構成にすることによって、さらに、以下のような効果が得られる。
【００１３】
すなわち、この基台に副表示部を設けた構成の標識体によれば、アルファベットイニシャル型の形状は、基台の表面を凸状に盛り上げることによって或いは基台の表面を凹状に彫り込むことによって、浮彫状に形成されているか、または、基台を表面から裏面にくりぬくことによって、透かし彫り状に形成されている構成にすることによって、安価なコストで容易に製造することができる。
【００１４】
また、この標識体によれば、さらに、基台を支持するための支持部を具えている構成とすることによって、基台を頑丈に製造しなくてもよくなる。そのため、薄い基台を用いることができ、これにより、安価なコストで製造することができる。
【００１５】
また、この標識体によれば、支持部は、郵便受が設けられている構成にすることによって、郵便物を収容することができる。
【考案を実施するための最良の形態】
【００１６】
以下、図を参照して、この考案の実施の形態につき説明する。なお、各図は、各構成要素の形状、大きさ及び配置関係を、この考案を理解できる程度に、概略的に示してあるに過ぎない。よって、この考案は、図示例のみに限定されるものではない。また、各図において、共通する構成要素や同様な構成要素については、同一の符号を付し、それらの重複する説明を省略する。
【００１７】
以下、図１、並びに、図２（Ａ）、（Ｂ）、及び（Ｃ）を参照して、この考案に係る標識体の構成につき説明する。なお、各図は、それぞれ、この考案に係る標識体の構成を示す図である。図１は、この考案に係る標識体の斜視図を示している。また、図２（Ａ）は、この考案に係る標識体の平面図を示し、図２（Ｂ）は、この考案に係る標識体のａ方向（図２（Ａ）参照）から見た側面図を示し、図２（Ｃ）は、この考案に係る標識体のｂ方向（図２（Ａ）参照）から見た側面図を示している。
【００１８】
各図に示すように、この考案に係る標識体１００は、主表示部１０５と、この主表示部１０５が設けられた基台１１０とを有している。主表示部１０５は、居住者の姓または姓名を表示するための構成要素である。主表示部１０５は、石、木、金属、合成樹脂等で形成されている。基台１１０は、主表示部１０５を支持するための構成要素である。基台１１０は、主表示部１０５と同様に、石、木、金属、合成樹脂等で形成されている。なお、基台１１０は、視認性を向上させるために、好ましくは、周囲とは異なる色にするとよい。
【００１９】
基台１１０は、少なくとも１ｍ以上の高さを有しており、さらに、基台１１０自体が、居住者の姓または名前の頭文字に相当するアルファベットイニシャル型の形状をした副表示部として形成されている。そのため、来訪者は、来訪先の住居のそばまで移動して標識体１００に表示された居住者の姓または姓名を見なくても、遠方からこの副表示部として形成された基台１１０の外形を見るだけで、来訪先の住居がどのアルファベットイニシャルを姓または名前に持つ人物の住居であるのかを認識することができる。したがって、この標識体１００は、従来の標識体よりも、目印としての高い識別性を有している。
【００２０】
なお、図１、並びに、図２（Ａ）、（Ｂ）、及び（Ｃ）に示す例では、居住者の姓が「ＦＵＲＩＨＡＴＡ」であるので、基台１１０は、「Ｆ」型の形状に形成されている。
【００２１】
「Ｆ」型の形状をした基台１１０の寸法は、図２（Ａ）に示すように、好ましくは、全高をＨ、全幅をＷとする場合に、それぞれ、例えば、１．７５ｍ、０．９ｍ程度にするとよい。なお、「Ｆ」型の書き順の第１画目の横棒の寸法は、好ましくは、高さをｈ１、幅をＷとする場合に、それぞれ、例えば、０．３ｍ、０．９ｍ程度にするとよい。また、「Ｆ」型の書き順の第２画目の縦棒の寸法は、好ましくは、高さをＨ、幅をｗ１とする場合に、それぞれ、例えば、１．７５ｍ、０．３ｍ程度にするとよい。また、「Ｆ」型の書き順の第３画目の横棒の寸法は、好ましくは、高さをｈ３、幅をｗ２とする場合に、それぞれ、例えば、０．３ｍ、０．６ｍ程度にするとよい。なお、この場合に、第３画目の横棒は、第１画目の横棒との間隔ｈ２が０．３５ｍ程度となり、地面との間隔ｈ４が０．８ｍ程度となる。
【００２２】
但し、基台１１０の形状は、例えば、居住者の姓が「相川」である場合に、「Ａ」となり、居住者の姓が「伊藤」である場合に、「Ｉ」となる。このように、基台１１０の形状は、副表示部として表示すべき、居住者の姓または名前の頭文字に応じて、適宜変更される。
【００２３】
標識体１００は、図１、並びに、図２（Ａ）、（Ｂ）、及び（Ｃ）に示すように、支持部１２０、照明１３０、インターフォン１４０、住所表示プレート１５０、郵便受１６０を具えている。
【００２４】
支持部１２０は、基台１１０を支持するための構成要素である。支持部１２０は、必須の構成要素ではない。しかしながら、標識体１００は、支持部１２０を具えることにより、基台１１０を頑丈に製造しなくてもよくなる。そのため、標識体１００は、薄い基台１１０を用いることができ、これにより、安価なコストで製造することができる。
【００２５】
照明１３０は、周知の通り、主表示部１０５を照らすための構成要素である。照明１３０は、基台１１０または支持部１２０によって支持されている。照明１３０は、好ましくは、主表示部１０５の周囲に設置されるとよい。
【００２６】
インターフォン１４０は、周知の通り、居住者を呼び出して居住者と会話するための構成要素である。インターフォン１４０は、基台１１０または支持部１２０によって支持されている。
【００２７】
住所表示プレート１５０は、周知の通り、居住者の住所を表示するための構成要素である。住所表示プレート１５０は、基台１１０または支持部１２０によって支持されている。
【００２８】
郵便受１６０は、周知の通り、郵便物を収容するための構成要素である。郵便受１６０は、支持部１２０によって支持されている。
【００２９】
以下、図３（Ａ）、（Ｂ）、及び（Ｃ）を参照して、主表示部１０５の構成例につき説明する。なお、図３（Ａ）、（Ｂ）、及び（Ｃ）は、それぞれ、主表示部１０５の構成例を示す図である。
【００３０】
図３（Ａ）に示す例では、主表示部１０５は、基台１１０とは別体の構成要素である氏名表示プレート１０７の表面を凸状に盛り上げることによって或いは凹状に彫り込むことによって、浮き彫り状に形成されている。基台１１０は、表面に、氏名表示プレート１０７を取り付けるための取付穴１１７が設けられている。氏名表示プレート１０７は、図３（Ａ）に示す矢印に沿ってこの取付穴１１７に嵌め込まれて、固定される。
【００３１】
図３（Ｂ）に示す例では、主表示部１０５は、基台１１０の表面を、凸状に盛り上げることによって、浮き彫り状に形成されている。
【００３２】
図３（Ｃ）に示す例では、主表示部１０５は、基台１１０の表面を、凹状に彫り込むことによって、浮き彫り状に形成されている。
【００３３】
主表示部１０５は、図３（Ａ）、（Ｂ）、及び（Ｃ）のいずれか１つに示す構成にすることにより、安価なコストで容易に製造することができる。
【００３４】
なお、主表示部１０５の文字部分すなわち浮き彫り状に形成された部分は、視認性を向上させるために、好ましくは、周囲とは異なる色にするとよい。
【００３５】
以下、図４（Ａ）、（Ｂ）、及び（Ｃ）を参照して、基台１１０の構成例につき説明する。なお、図４（Ａ）、（Ｂ）、及び（Ｃ）は、それぞれ、基台１１０の構成例を示す図である。
【００３６】
図４（Ａ）に示す例では、基台１１０のアルファベットイニシャル型の形状は、基台１１０または支持部１２０の表面を、例えば細線状の矢印のように凸状に盛り上げることによって、浮き彫り状に形成されている。
【００３７】
図４（Ｂ）に示す例では、基台１１０のアルファベットイニシャル型の形状は、基台１１０の表面を、例えば細線状の矢印のように凹状に彫り込むことによって、浮き彫り状に形成されている。
【００３８】
図４（Ｃ）に示す例では、基台１１０のアルファベットイニシャル型の形状は、例えば細線状の矢印のように基台１１０を表面から裏面にくりぬくことによって、透かし彫り状に形成されている。なお、くりぬかれた基台１１０は、例えば太線状の白抜き矢印のように支持部１２０に対向させられて、支持部１２０に接合される。
【００３９】
基台１１０は、図４（Ａ）、（Ｂ）、及び（Ｃ）のいずれか１つに示す構成にすることにより、安価なコストで容易に製造することができる。
【００４０】
以上の通り、この考案に係る標識体１００は、従来の標識体よりも、目印としての高い識別性を有している。そのため、この標識体１００によれば、来訪者が目的外の住居を来訪するのを防止することができ、これにより、来訪者の労力を軽減することができる。
【００４１】
この考案は、上述の実施の形態に限定されることなく、この考案の要旨を逸脱しない範囲で種々の変更や変形を行うことができる。
【００４２】
例えば、基台１１０の形状は、ゴシック体や、明朝体、筆記体等の様々なフォントに、適宜変更することができる。
【００４３】
また、基台１１０の寸法は、設置場所等に応じて、適宜変更することができる。
【００４４】
また、この考案の標識体は、門柱として使用することも可能である。
【図面の簡単な説明】
【００４５】
【図１】この考案に係る標識体の構成を示す図（１）である。
【図２】（Ａ）、（Ｂ）、及び（Ｃ）は、それぞれ、この考案に係る標識体の構成を示す図（２）である。
【図３】（Ａ）、（Ｂ）、及び（Ｃ）は、それぞれ、主表示部の構成例を示す図である。
【図４】（Ａ）、（Ｂ）、及び（Ｃ）は、それぞれ、基台の構成例を示す図である。
【符号の説明】
【００４６】
１００    …標識体
１０５    …主表示部
１１０    …基台（副表示部）
１２０    …支持部
１３０    …照明
１４０    …インターフォン
１５０    …住所表示プレート
１６０    …郵便受
【図１】
0003136420.tif 000003
【図２】
0003136420.tif 000004
【図３】
0003136420.tif 000005
【図４】
0003136420.tif 000006